(57)【特許請求の範囲】
【請求項１】
読取装置に対し、原稿を第１の画像として読み取るよう制御する読取制御手段と、
前記読取制御手段の制御により読み取られた第１の画像からデータ量を削減した第２の画像を生成する画像生成手段と、
前記画像生成手段により生成された第２の画像を端末装置へ出力する画像出力手段と、
前記画像出力手段により出力された第２の画像について、領域の指定を前記端末装置から受付ける領域指定受付手段と、
前記領域指定受付手段により受付けられた領域の指定にしたがって前記第１の画像から該領域を切り出す領域切出手段と、
前記領域切出手段により切り出された領域を前記端末装置へ出力する領域出力手段と、
前記読取制御手段の制御により読み取られた第１の画像を、少なくとも前記画像出力手段による出力がなされた後に読み出せるように記憶する記憶手段と、
前記記憶手段による記憶を行うか否かについて制御する記憶制御手段と、を有し、
前記記憶制御手段は、前記領域指定受付手段により受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御する
読取制御装置。
【請求項２】
前記記憶制御手段は、前記領域指定受付手段により受付けられた領域の指定が前記第２の画像の全領域の指定である場合には前記第１の画像を記憶しないよう制御する
請求項１記載の読取制御装置。
【請求項３】
前記端末装置から読み取り条件の指定を受付ける読取条件受付手段
をさらに有し、
前記読取制御手段は、前記読取条件受付手段により受付けられた読み取り条件に基づいて前記読取装置による原稿の読み取りを制御し、
前記記憶制御手段は、前記読取条件受付手段により受付けられた読み取り条件に基づいて前記記憶手段による記憶を行うか否かについて制御する
請求項１記載の読取制御装置。
【請求項４】
使用者を認証する認証手段
をさらに有し、
前記記憶制御手段は、前記認証手段による認証結果に基づいて前記記憶手段による記憶を行うか否かについて制御する
請求項１記載の読取制御装置。
【請求項５】
前記記憶制御手段は、前記記憶手段が記憶する前記第１の画像が予め定めた期間内に読み出されない場合に、該第１の画像を削除する
請求項１記載の読取制御装置。
【請求項６】
前記記憶制御手段は、前記記憶手段が記憶する前記第１の画像が読み出された場合に、該第１の画像を削除する
請求項１記載の読取制御装置。
【請求項７】
読取装置と、
端末装置と、
前記読取装置に対し、原稿を第１の画像として読み取るよう制御する読取制御手段と、前記読取制御手段の制御により読み取られた第１の画像からデータ量を削減した第２の画像を生成する画像生成手段と、前記画像生成手段により生成された第２の画像を前記端末装置へ出力する画像出力手段と、前記画像出力手段により出力された第２の画像について、領域の指定を前記端末装置から受付ける領域指定受付手段と、前記領域指定受付手段により受付けられた領域の指定にしたがって前記第１の画像から該領域を切り出す領域切出手段と、前記領域切出手段により切り出された領域を前記端末装置へ出力する領域出力手段と、前記読取制御手段の制御により読み取られた第１の画像を、少なくとも前記画像出力手段による出力がなされた後に読み出せるように記憶する記憶手段と、前記記憶手段による記憶を行うか否かについて制御する記憶制御手段と、を有し、前記記憶制御手段は、前記領域指定受付手段により受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御する読取制御装置と
を備える読取システム。
【請求項８】
読取装置に対し、原稿を第１の画像として読み取るよう制御するステップと、
読み取られた第１の画像からデータ量を削減した第２の画像を生成するステップと、
生成された第２の画像を端末装置へ出力するステップと、
出力された第２の画像について、領域の指定を前記端末装置から受付けるステップと、
受付けられた領域の指定にしたがって前記第１の画像から該領域を切り出すステップと、
切り出された領域を前記端末装置へ出力するステップと、
読み取られた第１の画像を、少なくとも出力がなされた後に読み出せるように記憶するステップと、
受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御するステップと、
をコンピュータに実行させるプログラム。
【発明の詳細な説明】
【技術分野】
【０００１】
本発明は、読取制御装置、読取システム及びプログラムに関する。
【背景技術】
【０００２】
特許文献１は、画像形成装置において、原稿台にセットされた原稿を走査する手段、走査画像データを、外部に接続されている外部機器上のメモリに転送する第一の転送手段、転送する際、あらかじめ決められた領域のみ取り込むための設定が可能な第一の設定手段、取り込み解像度を設定する第二の設定手段、取り込み画像の階調モードを設定する第三の設定手段、前記第一、第二、第三の設定手段によって設定されたモードにより、原稿台上にセットされた原稿に対し、画像形成装置にて切り出した後非圧縮にて転送を行う手段、転送された画像データに対し、非圧縮にて外部機器上のメモリに格納できるか否かの判定手段、格納できるならば、非圧縮にて格納する第一の格納手段、格納できないならば圧縮にて格納する第二の格納手段、格納された画像データを、ホストコンピュータに取り込むための手段を有することを特徴とする画像読み込み装置について開示している。
【先行技術文献】
【特許文献】
【０００３】
【特許文献１】特開２００４−３２０４９号公報
【発明の概要】
【発明が解決しようとする課題】
【０００４】
本発明の目的は、原稿の部分の読取画像を出力先に出力する際に、読取処理を１回で済ませるとともに出力先への通信負荷を抑制することができる読取制御装置、読取システム及びプログラムを提供することである。
【課題を解決するための手段】
【０００５】
［読取制御装置］
請求項１に係る本発明は、読取装置に対し、原稿を第１の画像として読み取るよう制御する読取制御手段と、前記読取制御手段の制御により読み取られた第１の画像からデータ量を削減した第２の画像を生成する画像生成手段と、前記画像生成手段により生成された第２の画像を端末装置へ出力する画像出力手段と、前記画像出力手段により出力された第２の画像について、領域の指定を前記端末装置から受付ける領域指定受付手段と、前記領域指定受付手段により受付けられた領域の指定にしたがって前記第１の画像から該領域を切り出す領域切出手段と、前記領域切出手段により切り出された領域を前記端末装置へ出力する領域出力手段と、前記読取制御手段の制御により読み取られた第１の画像を、少なくとも前記画像出力手段による出力がなされた後に読み出せるように記憶する記憶手段と、前記記憶手段による記憶を行うか否かについて制御する記憶制御手段と、を有し、前記記憶制御手段は、前記領域指定受付手段により受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御する読取制御装置である。
【０００９】
請求項２に係る本発明は、前記記憶制御手段は、前記領域指定受付手段により受付けられた領域の指定が前記第２の画像の全領域の指定である場合には前記第１の画像を記憶しないよう制御する請求項１記載の読取制御装置である。
【００１１】
請求項３に係る本発明は、前記端末装置から読み取り条件の指定を受付ける読取条件受付手段をさらに有し、前記読取制御手段は、前記読取条件受付手段により受付けられた読み取り条件に基づいて前記読取装置による原稿の読み取りを制御し、前記記憶制御手段は、前記読取条件受付手段により受付けられた読み取り条件に基づいて前記記憶手段による記憶を行うか否かについて制御する請求項１記載の読取制御装置である。
【００１２】
請求項４に係る本発明は、使用者を認証する認証手段をさらに有し、前記記憶制御手段は、前記認証手段による認証結果に基づいて前記記憶手段による記憶を行うか否かについて制御する請求項１記載の読取制御装置である。
【００１４】
請求項５に係る本発明は、前記記憶制御手段は、前記記憶手段が記憶する前記第１の画像が予め定めた期間内に読み出されない場合に、該第１の画像を削除する請求項１記載の読取制御装置である。
【００１５】
請求項６に係る本発明は、前記記憶制御手段は、前記記憶手段が記憶する前記第１の画像が読み出された場合に、該第１の画像を削除する請求項１記載の読取制御装置である。
【００１６】
［読取システム］
請求項７に係る本発明は、読取装置と、端末装置と、前記読取装置に対し、原稿を第１の画像として読み取るよう制御する読取制御手段と、前記読取制御手段の制御により読み取られた第１の画像からデータ量を削減した第２の画像を生成する画像生成手段と、前記画像生成手段により生成された第２の画像を前記端末装置へ出力する画像出力手段と、前記画像出力手段により出力された第２の画像について、領域の指定を前記端末装置から受付ける領域指定受付手段と、前記領域指定受付手段により受付けられた領域の指定にしたがって前記第１の画像から該領域を切り出す領域切出手段と、前記領域切出手段により切り出された領域を前記端末装置へ出力する領域出力手段と、前記読取制御手段の制御により読み取られた第１の画像を、少なくとも前記画像出力手段による出力がなされた後に読み出せるように記憶する記憶手段と、前記記憶手段による記憶を行うか否かについて制御する記憶制御手段と、を有し、前記記憶制御手段は、前記領域指定受付手段により受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御する読取制御装置とを備える読取システムである。
【００１７】
［プログラム］
請求項８に係る本発明は、読取装置に対し、原稿を第１の画像として読み取るよう制御するステップと、読み取られた第１の画像からデータ量を削減した第２の画像を生成するステップと、生成された第２の画像を端末装置へ出力するステップと、出力された第２の画像について、領域の指定を前記端末装置から受付けるステップと、受付けられた領域の指定にしたがって前記第１の画像から該領域を切り出すステップと、切り出された領域を前記端末装置へ出力するステップと、読み取られた第１の画像を、少なくとも出力がなされた後に読み出せるように記憶するステップと、受付けられた領域の指定が予め定めた大きさの割合以上の領域の指定である場合には前記第１の画像を記憶しないよう制御し、予め定めた大きさの割合未満の領域の指定である場合には前記第１の画像を記憶するように制御するステップと、をコンピュータに実行させるプログラムである。
【発明の効果】
【００１８】
請求項１に係る本発明によれば、原稿の部分の読取画像を出力先に出力する際に、読取処理を１回で済ませるとともに出力先への通信負荷を抑制することができる読取制御装置を提供することができる。また、請求項１に係る本発明によれば、読取装置による読み取り回数を減少させることができる読取制御装置を提供することができる。また、請求項１に係る本発明によれば、記憶容量を効率的に使用することができる読取制御装置を提供することができる。さらに、請求項１に係る本発明によれば、再利用される可能性がない画像が記憶されることにより記憶容量を消費するのを抑制することができる読取制御装置を提供することができる。
【００２２】
請求項２に係る本発明によれば、請求項１に係る本発明の効果に加え、再利用される可能性がない画像が記憶されることにより記憶容量を消費するのを抑制することができる読取制御装置を提供することができる。
【００２４】
請求項３に係る本発明によれば、請求項１に係る本発明の効果に加え、画像を記憶するか否かについて、読み取り条件に応じて制御することができる読取制御装置を提供することができる。
【００２５】
請求項４に係る本発明によれば、請求項１に係る本発明の効果に加え、画像を記憶するか否かについて、使用者に応じて制御することができる読取制御装置を提供することができる。
【００２７】
請求項５に係る本発明によれば、請求項１に係る本発明の効果に加え、記憶された画像が読み出されていない期間に応じて削除条件を設定することができる読取制御装置を提供することができる。
【００２８】
請求項６に係る本発明によれば、請求項１に係る本発明の効果に加え、再利用された画像を記憶先から削除することができる読取制御装置を提供することができる。
【００２９】
請求項７に係る本発明によれば、原稿の部分の読取画像を出力先に出力する際に、読取処理を１回で済ませるとともに出力先への通信負荷を抑制することができる読取システムを提供することができる。
【００３０】
請求項８に係る本発明によれば、原稿の部分の読取画像を出力先に出力する際に、読取処理を１回で済ませるとともに出力先への通信負荷を抑制することができるプログラムを提供することができる。
【図面の簡単な説明】
【００３１】
【図１】本発明の一実施形態の読取システムの構成を示す模式図である。
【図２】読取システムの他の構成を示す模式図である。
【図３】本実施形態の読取システムにおける読取制御装置８のハードウェア構成を示す模式図である。
【図４】プログラムが実行されることにより実現される読取制御装置８の機能構成を例示するブロック図である。
【図５】記憶制御部４０による制御条件の一例を示す表である。
【図６】要求受付部２０が第１の要求を受付けた場合における読取制御装置８の動作を示すフローチャートである。
【図７】図６のステップ１１８における記憶制御部４０の制御について示すフローチャートである。
【図８】要求受付部２０が第２の要求を受付けた場合における読取制御装置８の動作を示すフローチャートである。
【図９】図８のステップ３１８における記憶制御部４０の制御について示すフローチャートである。
【発明を実施するための形態】
【００３２】
次に、本発明の実施の形態について図面を参照して詳細に説明する。
【００３３】
図１は本発明の一実施形態の読取システムの構成を示す模式図である。本発明の一実施形態の画像形成システムは、図１に示されるように、端末装置４、読取装置６及び読取制御装置８により構成されており、端末装置４と読取制御装置８とが有線又は無線により接続され、読取装置６と読取制御装置８とが有線又は無線により接続されている。
【００３４】
端末装置４は、読取制御装置８に対して、読取装置６により原稿を読み取った読取画像又はこの読取画像の部分画像の送信を要求し、読取制御装置８から出力された読取画像又はこの読取画像の部分画像を取得する。
【００３５】
なお、端末装置４は、例えば、キーボードやマウスなどの入力装置と、ディスプレイなど出力装置と、ＣＰＵなどの中央処理装置と、メモリなどの記憶装置と、有線又は無線通信によりデータを送受信するための通信装置とを備えたコンピュータである。
【００３６】
読取装置６は、読取制御装置８の制御のもと原稿を読み取り、読み取った読取画像を有線又は無線通信により読取制御装置８へ送信する。読取装置６は、例えばスキャナであり、原稿を光学的に走査して画像として読み取る。
【００３７】
なお、読取装置６は、読取機能の他に、印刷（プリント）機能、複写（コピー）機能、ファクシミリ機能等が組み合わされていてもよい。
【００３８】
以上が、本実施形態の読取システムの構成となるが、図１に示した構成のほか、例えば、図２に示すネットワーク構成としてもよい。
図２は、読取システムの他の構成を示す模式図である。
【００３９】
図２に示した構成例では、ネットワーク２により端末装置４、読取装置６及び読取制御装置８が相互に接続された構成となっている。なお、図２に示した例では、端末装置４及び読取装置６は複数台がネットワーク２に接続された構成となっているが、端末装置４及び読取装置６は１台であってもよい。
【００４０】
読取制御装置８は、読取画像又は読取画像の部分画像の取得の要求を端末装置４から受付け、読取装置６を制御して原稿を読み取らせ、読取装置６から読取画像を取得し、読取画像又は読取画像の部分画像を端末装置４に出力する制御を行なう。また、読取制御装置８は、読取画像又は読取画像の部分画像の取得の要求に対し、記憶された読取画像を用いて、読取画像又は読取画像の部分画像の端末装置４への出力を行なう制御を行なう。
【００４１】
なお、図２に例示する構成において、読取制御装置８は、ネットワーク２に複数の端末装置４が接続されている場合には、これら複数の端末装置４による、読取画像又は読取画像の部分画像の取得の要求を管理して、要求に応じた画像の出力を要求元の端末装置４に対して行なう。また、読取制御装置８は、ネットワーク２に複数の読取装置６が接続されている場合には、各読取装置６に対して原稿の読取についての制御を行なう。
【００４２】
図３は、本実施形態の読取システムにおける読取制御装置８のハードウェア構成を示す模式図である。
【００４３】
読取制御装置８は、図３に示されるように、ＣＰＵ１０、メモリ１２、ハードディスクドライブ（ＨＤＤ）等の記憶装置１４、有線又は無線通信にて外部の装置等との間でデータの送信及び受信を行う通信インタフェース（ＩＦ）１６を有する。これらの構成要素は、制御バス１８を介して互いに接続されている。なお、タッチパネル又は液晶ディスプレイ並びにキーボードを含むユーザインタフェース（ＵＩ）装置を有していてもよい。
【００４４】
ＣＰＵ１０は、メモリ１２または記憶装置１４に格納されたプログラムに基づく処理を実行する。
【００４５】
なお、本実施形態では、ＣＰＵ１０は、メモリ１２または記憶装置１４内に格納されたプログラムを読み出して実行するものとして説明するが、プログラムをＣＤ−ＲＯＭ等の記憶媒体に格納してＣＰＵ１０に提供し、又はプログラムを通信ＩＦ１６を介して提供することも可能である。
【００４６】
図４は、上記プログラムが実行されることにより実現される読取制御装置８の機能構成を例示するブロック図である。
【００４７】
本実施形態の読取制御装置８は、図４に示されるように、要求受付部２０と、認証部２２と、読取制御部２４と、画像取得部２６と、記憶部２８と、プレビュー画像生成部３０と、プレビュー画像出力部３２と、領域指定受付部３４と、領域切出部３６と、領域出力部３８と、記憶制御部４０とを備えている。
【００４８】
要求受付部２０は、読取画像又は読取画像の部分画像の取得要求を端末装置４から受け付ける。具体的には、読取装置６により原稿を読み取った上で読取画像又は読取画像の部分画像を取得することの要求（以下、第１の要求という。）、又は読取装置６による原稿の読み取りを行なわずに記憶部２８が記憶する読取画像に基づいて、この読取画像又はこの読取画像の部分画像を取得することの要求（以下、第２の要求という。）のいずれかの要求を受付ける。
【００４９】
ここで、要求受付部２０は、端末装置４から上記第２の要求を受け付けた場合には、記憶部２８に記憶された読取画像の一覧である蓄積リストを端末装置４へ出力し、蓄積リストに挙げられたいずれかの読取画像の指定を受け付ける。
【００５０】
また、要求受付部２０は、読取装置６により原稿を読み取る際の読取条件を受付ける。読取条件とは、例えば、モノクロ画像で読み取るか、カラー画像で読み取るか、どの解像度で読み取るかなどといった読取に関する条件をいう。
【００５１】
なお、本実施形態では、要求受付部２０は、端末装置４から、端末装置４の識別情報又は端末装置４の使用者の識別情報を、読取画像又は読取画像の部分画像の要求とともに受付け、受付けた識別情報を後述する認証部２２へ出力する。
【００５２】
認証部２２は、要求受付部２０が受付けた識別情報に基づいて認証を行い、認証結果を後述する記憶制御部４０へ出力する。なお、認証部２２は、読取制御部２４の外部に構成されていてもよく、例えば、認証サーバにより認証するようにしてもよい。また、認証を行なわない場合には、認証部２２を設けなくてもよい。
【００５３】
読取制御部２４は、要求受付部２０が上記第１の要求を受付けると、読取装置６によって原稿が読み取られるように制御する。要求受付部２０が、読取条件を受付けた場合には、受付けた読取条件にて読取装置６が読み取るよう制御し、読取条件を受付けていない場合には、予め定められた読取条件にて、原稿を読み取るよう制御する。また、読取制御部２４は、読取条件を後述する記憶制御部４０へ出力する。
【００５４】
画像取得部２６は、読取制御部２４の制御のもと読取処理を行なった読取装置６から読取画像を取得する。
【００５５】
記憶部２８は、画像取得部２６により取得された読取画像を後述する記憶制御部４０の制御に従って記憶する。なお、本実施形態の記憶部２８は、記憶装置１４に記憶するものとして説明するが、読取制御装置８の外部の記憶装置に記憶してもよい。
【００５６】
プレビュー画像生成部３０は、記憶部２８に記憶された読取画像から、この読取画像のデータ量を削減したプレビュー画像を生成する。なお、要求受付部２０が上述の第１の要求を受け付けた場合、プレビュー画像生成部３０は、画像取得部２６が取得し記憶部２８によって記憶された読取画像からプレビュー画像を生成する。一方、要求受付部２０が上述の第２の要求を受け付けた場合、記憶部２８により記憶された読取画像のうち、蓄積リストの中から選択された読取画像に基づいてプレビュー画像を生成する。
【００５７】
プレビュー画像生成部３０は、例えば、解像度を低くするよう画像変換したり、カラー画像として読み取られた読取画像をモノクロ画像に画像変換したりするなどして、データ量を削減したプレビュー画像を生成する。
【００５８】
プレビュー画像出力部３２は、端末装置４に対して、プレビュー画像生成部３０が生成したプレビュー画像を出力する。なお、端末装置４では、読取制御装置８から送信されたプレビュー画像を例えば端末装置４の出力装置に出力する。
【００５９】
領域指定受付部３４は、プレビュー画像出力部３２が出力した読取画像に対する領域の指定を、端末装置４から受付ける。なお、端末装置４では、例えば、使用者が、読取画像のうち取得したい領域を入力装置により指定し、この領域の指定が読取制御装置８の領域指定受付部３４へ送信される。
【００６０】
なお、領域指定受付部３４は、プレビュー画像出力部３２が出力したプレビュー画像の一部の領域の指定を受付けてもよいし、プレビュー画像出力部３２が出力したプレビュー画像の全体領域の指定を受け付けてもよい。
【００６１】
領域切出部３６は、領域指定受付部３４により受付けられた領域の指定に従って、記憶部２８により記憶されている読取画像から、指定された領域を切り出す。なお、要求受付部２０が上述の第１の要求を受け付けた場合、領域切出部３６は、画像取得部２６が取得し記憶部２８によって記憶された読取画像から指定された領域を切り出す。一方、要求受付部２０が上述の第２の要求を受け付けた場合、記憶部２８により記憶された読取画像のうち、蓄積リストの中から選択された読取画像から、指定された領域を切り出す。
【００６２】
領域出力部３８は、領域切出部３６が切り出した領域の画像を端末装置４に対して出力する。ただし、領域出力部３８は、領域指定受付部３４が、プレビュー画像出力部３２が出力したプレビュー画像の全体領域の指定を受け付けた場合には、記憶部２８に記憶されている読取画像を切り出すことなく端末装置４へ出力する。
【００６３】
記憶制御部４０は、読取画像を記憶部２８により記憶するか否かを制御する。具体的には、読取制御部２４は、読取画像を領域出力部３８による画像の出力がなされた後も記憶部２８において記憶をするか否かを制御し、また、領域出力部３８による画像の出力がなされた後も記憶部２８において記憶された読取画像を削除するか否かを制御する。
【００６４】
また、記憶制御部４０は、領域出力部３８による画像の出力がなされた後も記憶部２８において記憶されている読取画像の一覧を蓄積リストとして管理する。
【００６５】
図５は、記憶制御部４０による制御条件の一例を示す表である。図５（ａ）は、記憶制御部４０が、領域出力部３８による画像の出力がなされた後も記憶部２８において記憶を継続するよう制御する条件の一例を示す表である。一方、図５（ｂ）は、領域出力部３８による画像の出力がなされた後も記憶部２８において記憶された読取画像を削除するよう制御する条件の一例を示す表である。
【００６６】
図５（ａ）に示すように、記憶制御部４０は、例えば以下のような蓄積条件に基づいて制御を行なう。
【００６７】
（１）認証部２２により特定の端末装置４又は特定の使用者が認証された場合には記憶をし、例えばゲストユーザなど読取システムを繰り返して使用しない使用者の場合には記憶をしないよう制御する。
【００６８】
（２）領域指定受付部３４がプレビュー画像の一部の領域の指定を受付けた場合には記憶をし、プレビュー画像の全体領域が指定され、読取画像の全体領域が端末装置４に出力された場合には記憶をしないよう制御する。
【００６９】
（３）領域指定受付部３４がプレビュー画像の全体領域のうち予め定められた大きさの割合（例えば、９０パーセント）未満の領域の指定を受付けた場合には記憶をし、プレビュー画像の全体領域のうち予め定められた大きさの割合（例えば、９０パーセント）以上の領域の指定を受付けた場合には記憶をしないよう制御する。
【００７０】
（４）画像取得部２６が取得した読取画像が１ページから構成される読取画像である場合には記憶をし、画像取得部２６が取得した読取画像が複数ページから構成される読取画像である場合には記憶しないよう制御する。これにより、記憶データ量が抑制される。なお、記憶制御部４０は、読取画像のデータ量によって、記憶するか否かを制御してもよい。
【００７１】
（５）読取条件が特定の読取条件である場合に記憶をし、読取条件がこの特定の読取条件ではない場合に記憶をしないよう制御する。例えば、記憶制御部４０は、読取制御部２４から通知された読取条件がカラー画像としての読取を指示する条件である場合には記憶し、モノクロ画像としての読取を支持する条件であれば記憶をしないよう制御する。
【００７２】
また、図５（ｂ）に示すように、記憶制御部４０は、例えば以下のような削除条件に基づいて制御を行なう。
【００７３】
（１）記憶部２８に記憶された読取画像が、予め定められた期間の間、再利用されていない場合には、当該読取画像を削除するよう制御する。なお、読取画像の再利用とは、上記第２の要求が要求受付部２０に受付けられ、記憶部２８に記憶されている読取画像に基づいて端末装置４への画像の出力が行なわれることをいう。
【００７４】
（２）記憶部２８に記憶された読取画像が、再利用された場合には、当該読取画像を削除するよう制御する。
【００７５】
なお、削除条件（１）と（２）とは相反する条件であるため、例えば、記憶制御部４０は削除条件（１）又は（２）のうち設定された方の条件に基づいて制御する。
【００７６】
以上、記憶制御部４０の制御に説明したが、記憶制御部４０は、図５に示した条件のうちいずれかの条件に基づいて制御を行なってもよいし、複数の条件を組みあせて制御を行なってもよい。
【００７７】
図６は、要求受付部２０が第１の要求を受付けた場合における読取制御装置８の動作を示すフローチャートである。
【００７８】
ステップ１００（Ｓ１００）において、要求受付部２０は、端末装置４から第１の要求を受付ける。また、認証部２２は、識別情報に基づいて認証を行なう。
【００７９】
ステップ１０２（Ｓ１０２）において、読取制御部２４は、読取装置６によって原稿が読み取られるように制御する。
【００８０】
ステップ１０４（Ｓ１０４）において、画像取得部２６は、読取装置６によって読み取られた読取画像を読取装置６から取得し、記憶部２８は、取得された読取画像を記憶する。
【００８１】
ステップ１０６（Ｓ１０６）において、プレビュー画像生成部３０は、読取画像のデータ量を削減したプレビュー画像を生成する。なお、プレビュー画像生成部３０は、ステップ１０４で画像取得部２６が取得した読取画像に基づいてプレビュー画像を生成する。
【００８２】
ステップ１０８（Ｓ１０８）において、プレビュー画像出力部３２は、端末装置４に対して、生成したプレビュー画像を出力する。
【００８３】
ステップ１１０（Ｓ１１０）において、領域指定受付部３４は、プレビュー画像出力部３２が出力した読取画像に対する領域の指定を、端末装置４から受付ける。
【００８４】
ステップ１１２（Ｓ１１２）において、領域指定受付部３４は、受付けた領域指定が、プレビュー画像に対する部分領域の指定であるか、プレビュー画像に対する全体領域の指定であるかを判定し、部分領域の指定である場合にはステップ１１４へ移行し、全体領域の指定である場合にはステップ１１６へ移行する。
【００８５】
ステップ１１４（Ｓ１１４）において、領域切出部３６は、領域指定受付部３４により受付けられた領域の指定に従って、記憶部２８により記憶されている読取画像から、指定された領域を切り出す。なお、領域切出部３６は、ステップ１０４で画像取得部２６が取得した読取画像に基づいて、指定された領域を切り出すこととなる。
【００８６】
ステップ１１６（Ｓ１１６）において、領域出力部３８は、領域指定受付部３４が部分領域の指定を受付けた場合には、ステップ１１４において切り出された部分画像を端末装置４へ出力し、領域指定受付部３４が全体領域の指定を受付けた場合には、記憶部２８に記憶されている読取画像を端末装置４へ出力する。
【００８７】
ステップ１１８（Ｓ１１８）において、読取画像を記憶部２８により記憶するか否かの制御が、記憶制御部４０によって行われる。
【００８８】
次に、このステップ１１８における記憶制御部４０の制御について説明する。
図７は、図６のステップ１１８における記憶制御部４０の制御について示すフローチャートである。
【００８９】
ステップ２００（Ｓ２００）において、記憶制御部４０は、図６のステップ１０４で取得された読取画像について、予め定められた蓄積条件を満たすか否かを判定する。記憶制御部４０は、例えば、図５（ａ）に示す蓄積条件を満たすか否かを判定する。蓄積条件を満たす場合には、ステップ２０２へ移行し、満たさない場合には、ステップ２０４へ移行する。
【００９０】
ステップ２０２（Ｓ２０２）において、記憶制御部４０は、記憶部２８での当該読取画像の記憶を継続するよう制御し、記憶部２８に記憶された読取画像の一覧である蓄積リストに、当該読取画像を追加する。
【００９１】
一方、ステップ２０４（Ｓ２０４）では、当該読取画像を記憶部２８から削除する。
【００９２】
図８は、要求受付部２０が第２の要求を受付けた場合における読取制御装置８の動作を示すフローチャートである。
【００９３】
ステップ３００（Ｓ３００）において、要求受付部２０は、端末装置４から第２の要求を受付ける。また、認証部２２は、識別情報に基づいて認証を行なう。
【００９４】
ステップ３０２（Ｓ３０２）において、要求受付部２０は、領域出力部３８による画像の出力がなされた後も記憶部２８において記憶されている読取画像の一覧を端末装置４へ提示する。具体的には、例えば、記憶制御部４０が管理する蓄積リストを端末装置４へ出力する。
【００９５】
ステップ３０４（Ｓ３０４）において、要求受付部２０は、ステップ３０２において端末装置４へ提示した一覧に挙げられている読取画像のうちいずれかの読取画像を選択する指定を受付ける。
【００９６】
ステップ３０６（Ｓ３０６）において、プレビュー画像生成部３０は、読取画像のデータ量を削減したプレビュー画像を生成する。なお、プレビュー画像生成部３０は、記憶部２８により記憶された読取画像のうち、ステップ３０４で指定された読取画像からプレビュー画像を生成する。
【００９７】
ステップ３０８（Ｓ３０８）において、図６のステップ１０８と同様、プレビュー画像出力部３２は、端末装置４に対して、生成したプレビュー画像を出力する。
【００９８】
ステップ３１０（Ｓ３１０）において、図６のステップ１１０と同様、領域指定受付部３４は、プレビュー画像出力部３２が出力した読取画像に対する領域の指定を、端末装置４から受付ける。
【００９９】
ステップ３１２（Ｓ３１２）において、図６のステップ１１２と同様、領域指定受付部３４は、受付けた領域指定が、プレビュー画像に対する部分領域の指定であるか、プレビュー画像に対する全体領域の指定であるかを判定し、部分領域の指定である場合にはステップ３１４へ移行し、全体領域の指定である場合にはステップ３１６へ移行する。
【０１００】
ステップ３１４（Ｓ３１４）において、領域切出部３６は、領域指定受付部３４により受付けられた領域の指定に従って、記憶部２８により記憶されている読取画像から、指定された領域を切り出す。なお、領域切出部３６は、記憶部２８により記憶された読取画像のうち、ステップ３０４で指定された読取画像から指定された領域を切り出す。
【０１０１】
ステップ３１６（Ｓ３１６）において、図６のステップ１１６と同様、領域出力部３８は、領域指定受付部３４が部分領域の指定を受付けた場合には、ステップ３１４において切り出された部分画像を端末装置４へ出力し、領域指定受付部３４が全体領域の指定を受付けた場合には、記憶部２８に記憶されている読取画像を端末装置４へ出力する。
【０１０２】
ステップ３１８（Ｓ３１８）において、記憶部２８に記憶されている読取画像を削除するか否かの制御が、記憶制御部４０によって行われる。このように、第２の要求の際まで記憶されている読取画像については読取装置６による読取を行なわずして端末装置４に所望の画像が出力され、読取装置６による読み取り回数が削減される。
【０１０３】
次に、このステップ３１８における記憶制御部４０の制御について説明する。
図９は、図８のステップ３１８における記憶制御部４０の制御について示すフローチャートである。
【０１０４】
ステップ４００（Ｓ４００）において、記憶制御部４０は、記憶部２８に記憶されている読取画像について、予め定められた削除条件を満たすか否かを判定する。記憶制御部４０は、例えば、図５（ｂ）に示す削除条件を満たすか否かを判定する。削除条件を満たす場合には、ステップ４０２へ移行し、満たさない場合には、終了する。
【０１０５】
ステップ４０２（Ｓ４０２）において、記憶制御部４０は、記憶部２８に記憶されている読取画像のうち削除条件を満たす読取画像を消去し、当該読取画像を蓄積リストから削除する。
【０１０６】
以上が、読取制御装置８についての動作となる。ここで、読取システムでは、図６に示されるステップ１０６以降の処理又は図８に示される処理を読取制御装置８が行なっている間、読取装置６は他の処理を行なってもよい。例えば、読取装置６がプリント機能又はコピー機能を有している場合には、読取制御装置８がステップ１０６以降の処理を実行中に、読取装置６がプリント機能又はコピー機能に基づく処理を行なってもよい。
【０１０７】
また、以上の説明において、記憶部２８は、記憶制御部４０の制御のもと読取画像を記憶するとしたが、読取画像とともに、当該読取画像のプレビュー画像を記憶してもよい。また、この場合、第２の要求を要求受付部２０が受付けた際には、プレビュー画像生成部３０による処理を省略してもよい。
【符号の説明】
【０１０８】
４        端末装置
６        読取装置
８        読取制御装置
２０        要求受付部
２２        認証部
２４        読取制御部
２６        画像取得部
２８        記憶部
３０        プレビュー画像生成部
３２        プレビュー画像出力部
３４        領域指定受付部
３６        領域切出部
３８        領域出力部
４０        記憶制御部
【図１】
0005935428.tif 000002
【図２】
0005935428.tif 000003
【図３】
0005935428.tif 000004
【図４】
0005935428.tif 000005
【図５】
0005935428.tif 000006
【図６】
0005935428.tif 000007
【図７】
0005935428.tif 000008
【図８】
0005935428.tif 000009
【図９】
0005935428.tif 000010